(57)【要約】      （修正有）【課題】シンプルな構造で組み立てやすく、シールエンド型の蓋部を開封した後、簡単な操作で容易に再封できる包装箱を提供する。【解決手段】箱体形成片からなり、筒体８０を形成する４つの側面板を備える。第一の側面板は、端部に外側蓋片が延設され、これに対向する第二の側面板２０は、端部に内側蓋片６４が延設される。外側蓋片は、開封用破断線４４によって、第一の側面板と連続する再封部４６と、第一の側面板と不連続な糊付け部４８とに区切られ、再封部４６の延出方向の端部が再封用舌部４６ａになっている。内側蓋片６４は、延出方向の端辺に、再封用舌部４６ａと係合可能な再封用切り欠き６８を備える。組み立て状態で、糊付け部４８が内側蓋片６４の外面に糊付けされ、再封用舌部４６ａ及び再封用切り欠き６８が、互いに筒体８０の開口端の中央部で厚み方向に対向する。【選択図】図１
0003206274.tif 000002
【実用新案登録請求の範囲】
【請求項１】
一枚の箱体形成片から成り、前記箱体形成片は、互いに平行に連接され、組み立て状態で四角形の筒体を形成する複数の側面板と、前記複数の側面板の中の１つである第一の側面板の、前記連接方向に対して直角方向の端部に延設され、第一折罫線で前記第一の側面板と区切られた外側蓋片と、組み立て状態で前記第一の側面板と対向する第二の側面板の、前記連接方向に対して直角方向の端部に延設され、第二折罫線で前記第二側面板と区切られた内側蓋片とを有し、
前記外側蓋片は、前記第一折罫線と対向する向きに前記外側蓋片を横切る開封用破断線によって、前記第一の側面板と連続する再封部と、前記第一の側面板と不連続な糊付け部とに区切られ、前記再封部の延出方向の端部は、舌片状の再封用舌部になっており、前記内側蓋片は、延出方向の端辺に、前記再封用舌部と係合可能な形状の再封用切り欠きが設けられ、
組み立て状態で、前記内側蓋片の外面に前記外側蓋片が重なり、前記糊付け部が前記内側蓋片に糊付けされた状態で前記筒体の開口端を閉鎖し、前記再封用舌部及び前記再封用切り欠きが、互いに前記筒体の開口端の中央部で厚み方向に対向し、
使用者により、前記開封用破断線を破断させて開封し、前記内側蓋片の外面に前記再封部を重ね、前記再封部を前記内側蓋片の方向に押し込む操作を行うことによって、前記再封用舌部が前記再封用切り欠きの内側に入って係合し、前記筒体の開口端が再封可能に形成されたことを特徴とする包装箱。
【請求項２】
前記外側蓋片の前記再封部は、開封用破断線により、前記再封用舌部側の端部の方が前記第一の側面板側の端部より幅狭になるように、前記糊付け部と区切られている請求項１記載の包装箱。
【請求項３】
前記外側蓋片は、開封用破断線と重なる位置に開封用透孔が設けられ、前記再封用舌部が前記開封用透孔の内側に延出している請求項１又は２記載の包装箱。
【考案の詳細な説明】
【技術分野】
【０００１】
本考案は、再封可能なシールエンド型の包装箱に関する。
【背景技術】
【０００２】
従来、例えば特許文献１に開示されているように、４つの側面で成る筒体を形成し、筒体の一側面の端部に、筒体の開口端とほぼ同形状の外蓋板が延設され、これに対向ずる一側面の端部に内蓋板が延設され、内蓋板の外面に外蓋板が重なって筒体の開口端を閉鎖するシールエンド型の包装箱があった。外蓋板は、先端部の中央に幅狭のつまみ部が設けられ、つまみ部の幅方向の両端部から外蓋板の左右側縁部に達する一対の開封破断線が設けられている。内蓋板は、基端部に、外蓋板のつまみ部が差し込み可能な大きさの差し込み口が、切り込み線により設けられている。したがって、使用者が開封破断線を破断させて開封した後は、内蓋板の外面に外蓋板を重ね、つまみ部を差し込み口に差し込んで係合させることによって、筒体の開口端を再封することができる。
【先行技術文献】
【特許文献】
【０００３】
【特許文献１】特開２０１０−２７４９７９号公報
【考案の概要】
【考案が解決しようとする課題】
【０００４】
特許文献１の包装箱は、再封する際、内蓋板の外面に外蓋板を重ね、つまみ部を差し込み口に差し込む操作を行うが簡単ではなかった。この包装箱は、差し込み口が切り込み線により形成され非常に狭いので、例えば１つの差し込み方法として、内蓋板を変形させて差し込み口を広げ、つまみ部を差し込みやすくする操作を行う。しかし、上手くやらないと切り込み線の端部が破れて差し込み口が大きくなってしまい、つまみ部と差し込み口とが係合できなくなるおそれがある。また、他の方法として、外蓋板を変形させてつまみ部の向きを調節し、つまみ部を差し込み口に誘導する操作を行うこともあるが、子供や高齢者等にとっては簡単ではない。
【０００５】
本考案は、上記背景技術に鑑みて成されたものであり、シンプルな構造で組み立てやすく、シールエンド型の蓋部を開封した後、簡単な操作で容易に再封できる包装箱を提供することを目的とする。
【課題を解決するための手段】
【０００６】
本考案は、一枚の箱体形成片から成り、前記箱体形成片は、互いに平行に連接され、組み立て状態で四角形の筒体を形成する複数の側面板と、前記複数の側面板の中の１つである第一の側面板の、前記連接方向に対して直角方向の端部に延設され、第一折罫線で前記第一の側面板と区切られた外側蓋片と、組み立て状態で前記第一の側面板と対向する第二の側面板の、前記連接方向に対して直角方向の端部に延設され、第二折罫線で前記第二側面板と区切られた内側蓋片とを有し、前記外側蓋片は、前記第一折罫線と対向する向きに前記外側蓋片を横切る開封用破断線によって、前記第一の側面板と連続する再封部と、前記第一の側面板と不連続な糊付け部とに区切られ、前記再封部の延出方向の端部は、舌片状の再封用舌部になっており、前記内側蓋片は、延出方向の端辺に、前記再封用舌部と係合可能な形状の再封用切り欠きが設けられ、組み立て状態で、前記内側蓋片の外面に前記外側蓋片が重なり、前記糊付け部が前記内側蓋片に糊付けされた状態で前記筒体の開口端を閉鎖し、前記再封用舌部及び前記再封用切り欠きが、互いに前記筒体の開口端の中央部で厚み方向に対向し、使用者により、前記開封用破断線を破断させて開封し、前記内側蓋片の外面に前記再封部を重ね、前記再封部を前記内側蓋片の方向に押し込む操作を行うことによって、前記再封用舌部が前記再封用切り欠きの内側に入って係合し、前記筒体の開口端が再封可能に形成された包装箱である。
【０００７】
前記外側蓋片の前記再封部は、開封用破断線により、前記再封用舌部側の端部の方が前記第一の側面板側の端部より幅狭になるように、前記糊付け部と区切られていることが好ましい。また、前記外側蓋片は、開封用破断線と重なる位置に開封用透孔が設けられ、前記再封用舌部が前記開封用透孔の内側に延出していることが好ましい。
【考案の効果】
【０００８】
本考案の包装箱は、一枚の箱体形成片から成り、構造がシンプルで組み立てやすい。また、シールエンド型の蓋部を開封した後、簡単な操作で容易に再封することができ、様々な外形の包装箱に適用可能である。
【図面の簡単な説明】
【０００９】
【図１】本考案の包装箱の一実施形態の組み立て状態を示す斜視図（ａ）、蓋部の詳細な構造を示す斜視図（ｂ）である。
【図２】この実施形態の包装箱の箱体形成片を表面側から見た展開図である。
【図３】この実施形態の包装箱の蓋部を開封した状態を示す斜視図（ａ）、再封した状態を示す斜視図（ｂ）である。
【考案を実施するための形態】
【００１０】
以下、本考案の包装箱の一実施形態について、図面に基づいて説明する。この実施形態の包装箱１０は、図１（ａ）に示すように、略直方体のシールエンド型の箱であり、厚紙等で成る一枚の箱体形成片１２を組み立てることによって形成される。
【００１１】
箱体形成片１２は、図２に示すように、互いに平行に連接された４つの側面板１４，１６，１８，２０を有している。側面板１４，１６，１８，２０は、連接方向と直交する幅方向の長さが同じで、連接方向の長さは、側面板１４，１８が短くて互いにほぼ等しく、側面板１６，２０が長くて互いにほぼ等しい。さらに、連接方向の側面板２０側の端部には、組み立て状態で側面板１４の裏面の端部に糊付けされる糊付け片２２が延設されている。４つの側面板１４，１６，１８，２０及び糊付け片２２は、各々折罫線２４，２６，２８，３０で区切られている。以下、側面板１６を第一の側面板１６、側面板２０を第二の側面板２０と称する。
【００１２】
側面板１４の、連接方向に対して直角方向の一端部には、台形状のサイドフラップ３２が延設され、折罫線３４で側面板１４と区切られている。また、側面板１４の反対側の端部には、サイドフラップ３６が延設され、折罫線３８で側面板１４と区切られている。
【００１３】
第一の側面板１６の、折罫線３４に連続する端部には、略長方形の外側蓋片４０が延設され、第一折罫線４２で第一の側面板１６と区切られている。外側蓋片４０の延出方向長さは、側面板１４の連接方向長さとほぼ同じである。外側蓋片４０は、第一折罫線４２と対向するように外側蓋片４０を横切る開封用破断線４４によって、第一の側面板２０と連続する再封部４６と、第一の側面板２０と不連続な糊付け部４８とに区切られている。再封部４６の形状は、糊付け部４８側の端部の方が第一の側面板１６側の端部より幅狭な等脚台形状になっており、幅狭になった側の端部が、舌片状の再封用舌部４６ａになっている。再封用舌部４６ａは、外側蓋片４０のほぼ中央部に位置している。さらに、開封用破断線４４と重なる位置に開封用透孔５０が設けられ、再封用舌部４６ａが開封用透孔５０の内側に延出している。
【００１４】
また、第一の側面板１６の反対側の端部には、外側蓋片４０とほぼ同じ大きさの外側底片５２が延設され、折罫線５４で第一の側面板１６と区切られている。
【００１５】
側面板１８の、折罫線４２に連続する端部には、台形状のサイドフラップ５６が延設され、折罫線５８で側面板１８と区切られている。また、側面板１８の反対側の端部には、サイドフラップ６０が延設され、折罫線６２で側面板１８と区切られている。
【００１６】
第二の側面板２０の、折罫線５８に連続する端部には、台形状の内側蓋片６４が延設され、第二折罫線６６で第二の側面板２０と区切られている。内側蓋片６４は外側蓋片４０よりも小さく、延出方向の端辺に、再封用舌部４６ａが係合可能な略Ｕ字状の再封用切り欠き６８が設けられている。再封用切り欠き６８は、入口部６８ａが少し狭くなっており、第二折罫線６６から奥部６８ｂまでの距離は、側面板１４の連接方向長さの約1/2程度である。また、第二の側面板２０の反対側の端部には、内側蓋片６４とほぼ同じ大きさの内側底片７０が延設され、折罫線７２で第二の側面板２０と区切られている。
【００１７】
さらに、第二の側面板２０の、折罫線７２側の端部の内側には、使用者が箱体を廃棄する際に指で押圧する分解用押圧部７４が設けられている。分解用押圧部７４は、折罫線７２の中央部と円弧状の分解用破断線７６とで囲まれて、周囲と区切られている。さらに、分解用破断線７６の両端から折罫線７２に沿って外向きに、一対の分解用破断線７８が設けられている。
【００１８】
次に、包装箱１０の組み立て方法の一例を説明する。ここでは、図２に示す箱体形成片１２の表面が凸になる折り方を正折り、裏面が凸になる折り方を逆折りと称する。
【００１９】
まず、折罫線３０を正折りして糊付け片２２を第二の側面板２０に重ね、糊付け片２２の表面に糊を塗布する。そして、折罫線２６を正折りして側面板１４及び第一の側面板１６を側面板１８及び第二の側面板２０に重ね、糊付け片２２を側面板１４の裏面に糊付けする。箱体形成片１２は、この折り畳まれた状態で、収容物を包装する工場等に出荷される。
【００２０】
次に、収容物を包装する工場等で、箱体形成片１２を立体的に組み立てる。まず、箱体形成１２の折罫線２４，２６，２８，３０を各々９０度に正折りし、四角形の筒体８０を形成する。その後、筒体８０の一端部を塞ぐ底部８２を設けるため、折罫線３８，６２でサイドフラップ３６，６０を各々９０度に正折りし、折罫線７２及び分解用破断線７８で内側底片７０を９０度に正折りする。その後、外側底片５２の裏面中央部に糊を塗布し、折罫線５４で外側底片５２を９０度に正折りし、外側底片５２を内側底片７０の表面に糊付けし、外側底片５２と内側底片７０とが一体になった底部８２を形成する。これで、筒体８０の一端部が閉鎖された状態になり、開放している側の端部から、図示しない収容物を中に入れる。
【００２１】
収容物を入れると、筒体８０の開放している側の端部を塞ぐため、３４，５８でサイドフラップ３２，５６を９０度に正折りし、第二折罫線６６で内側蓋片６４を９０度に正折りする。さらに、外側蓋片４０の糊付け部４８の裏面中央部に糊８４を塗布し、折罫線４２で外側蓋片４０を９０度に正折りし、糊付け部４８を内側蓋片６４の表面に糊付けし、外側蓋片４０と内側蓋片６４とが一体になった蓋部８６を形成する。これで、図１（ａ）に示すように、包装箱１０の組み立て状態になる。蓋部８６は、図１（ｂ）に示すように、外側蓋片４０の再封用舌部４６ａ及び内側蓋片６４の再封用切り欠き６８が、互いに筒体８０の開口端の中央部で、厚み方向に対向する。
【００２２】
包装箱１０を開封するときは、まず、開封用舌部４６ａを指で摘まみ、再封部４６を糊付け部４８から引き離す方向に力を加え、開封用破断線４４を破断させる。開封用舌部５０は、開封用透孔５０の内側に延出するよう設けられているので、容易に摘まむことができる。また、再封部４６は、再封用舌部４６ａ側の端部の方が第一の側面板１６側の端部より幅狭になっており、一対の開封用破断線４４の間隔が、第一の側面板側１６に近くなるほど広くなっているので、開封用破断線４４を容易に破断させることができる。
【００２３】
開封用破断線４４を破断させた後は、図３（ａ）に示すように、開封部４６を引き上げて開き、糊付け部４８と一体になった内側蓋片６４を引き上げて開き、サイドフラップ３２，５６を引き上げて開き、中の収容物を取り出す。
【００２４】
蓋部８６を再封するときは、サイドフラップ３２，５６を折罫線３４，５８で９０度に正折りし、内側蓋片６４を第二折罫線６６で９０度に正折りし、さらに、再封部４６を第一折罫線４２で正折りする。この状態では、図１（ｂ）に示すように、筒体８０の開口端の中央部で、内側蓋片６４の奥部６８ａ側の端部の外側に、再封用舌部４６ａが重なる形になる。
【００２５】
そして、再封用舌部４６ａに指を当てて、内側蓋片６４の方向に軽く押し込む。すると、第一折罫線４２及び第二折罫線６６が９０度よりも深く折れ、再封部４６と内側蓋片６４の双方が沈み込み、やがて、内側蓋片６４の奥部６８ａ側の端部と再封用舌部４６ａとが重ならなくなり、さらに沈み込んで、内側蓋片６４の奥部６８ａ側の端部の内側に再封用舌部４６ａが入る。再封用切り欠き６８は、再封用舌部４６ａの入口になる部分が閉じていない（開放された入口部６８ａになっている）ので、内側蓋片６４の、再封用切り欠き６８を挟む両側部分が広がったり捩じれたりして上手く変形し、再封用舌部４７ａが再封用切り欠き６８の内側に無理なく円滑に入ることができる。
【００２６】
その後、再封用舌部４６ａから指を離すと、沈み込んだ再封部４６及び内側蓋片６４が元に戻り、再封用舌部４６ａが再封用切り欠き６８の内側にさらに深く入り込んでしっかり係合し、図３（ｂ）に示す再封状態になる。
【００２７】
包装箱１０を廃棄するときは、まず、第二の側面板２０の分解用押圧部７４を指で押して分解用破断線７６を破断させ、さらに、分解用押圧部７４及び底部８２を第二の側面板２０から引き離す方向に力を加え、分解用破断線７８を破断させる。これで、底部８２とサイドフラップ３６，６０を引き上げることができるようになり、包装箱１０を平坦に折り畳んでコンパクトに廃棄することができる。
【００２８】
以上説明したように、包装箱１０は、一枚の箱体形成片１２から成り、シンプルな構造で組み立てやすい。また、シールエンド型の蓋部８６を開封した後、簡単な操作で容易に再封することができる。特に、外側蓋片５０の糊付け部４８が内側蓋片６４に糊付けされた状態で、再封用舌部４６ａ及び再封用切り欠き６８が、互いに筒体８０の開口端の中央部で厚み方向に対向するよう設定されているので、再封するとき、上記のように、再封用舌部４６ａを指で軽く押し込む操作を行うことによって、簡単かつスムーズに再封することができる。この点、特許文献１の包装箱の再封構造は、箱体の外形が特定の条件を満たさない場合に、再封する操作が難しくなるが、包装箱１０の構造は、様々な外形の包装箱において、簡単な操作で再封することができる。
【００２９】
なお、本考案の包装箱は、上記実施形態に限定されるものではない。例えば、外側蓋片の再封用舌部、内側蓋片の再封用切り欠きの形状は、上述した再封動作が良好に行われる範囲で、適宜変更することができる。
【００３０】
包装箱１０は、開封用破断線４４を破断させることによって開封することができ、開封用破断線４４を破断させる方法は、上記のように、開封用舌部４６ａを摘まんで引き上げる方法に限定されない。例えば、条件があれば、開封用舌部４６ａを内側蓋片６４の方向に押し込むことによって、開封用破断線４４をもっと簡単に破断できるように設計することができる。この場合は、開封用舌部４６ａを指で摘まみやすくする必要がないので、開封用透孔５０は省略することができる。
【００３１】
四角形の筒体は、４つ以上の側面板により形成してもよく、その中の適宜の側面板を選択して第一及び第二の側面板とすればよい。その他、底部、サイドフラップ、糊付け片等の構成は自由に変更することができる。例えば、底部の構造を、上記の蓋部と同様の構造にしてもよい。
【符号の説明】
【００３２】
１０  包装箱
１２  箱体形成片
１４，１８  側面板
１６  第一の側面板
２０  第二の側面板
４０  外側蓋片
４２  第一折罫線
４４  開封用破断線
４６  再封部
４６ａ  開封用舌部
４８  糊付け部
５０  開封用透孔
６４  内側蓋片
６６  第二折罫線
６８  再封用切り欠き
８４  糊
８０  筒体
８６  蓋部
【図１】
0003206274.tif 000003
【図２】
0003206274.tif 000004
【図３】
0003206274.tif 000005